(57)【要約】【課題】インターネットを利用した教授システムであって、受講する側にとっても、教授する側にとっても、利用しやすいシステムを提供すること。【解決手段】本発明では、サーバコンピュータには、クライアントコンピュータから送信された認証情報の可否を判断する認証システムと、認証されたクライアントコンピュータからの要求に応じて、所定の講座内容の動画を配信する動画配信システムと、クライアントコンピュータから送信されたスケジュール登録情報を記憶し、登録されたスケジュールに応じて、個々のスケジュールがスタートする所定時間前に所定のアラートメッセージを、登録されたメールアドレスへ通知するスケジュール管理システムと、クライアントコンピュータへ配信した講座内容の動画に応じてクライアントコンピュータに設定されたシステム利用料金情報を更新するシステム利用料金管理システムとが備えられている。【選択図】図１
2009302930.tif 000002
【特許請求の範囲】
【請求項１】
受講側のクライアントコンピュータを、インターネットを介して講座内容の動画を配信する講座側のサーバコンピュータに接続して、サーバコンピュータから所望の講座内容の動画の配信を受けてクライアントコンピュータに出力させて受講するように構成されたＷＥＢ動画カルチャースクールシステムであって、
前記サーバコンピュータには、
クライアントコンピュータから送信された認証情報の可否を判断する認証システムと、
認証されたクライアントコンピュータからの要求に応じて、所定の講座内容の動画を配信する動画配信システムと、
クライアントコンピュータから送信されたスケジュール登録情報を記憶し、登録されたスケジュールに応じて、個々のスケジュールがスタートする所定時間前に所定のアラートメッセージを、登録されたメールアドレスへ通知するスケジュール管理システムと、
クライアントコンピュータへ配信した講座内容の動画に応じてクライアントコンピュータに設定されたシステム利用料金情報を更新するシステム利用料金管理システムと
が備えられていることを特徴とするＷＥＢ動画カルチャースクールシステム。
【請求項２】
スケジュール管理システムは、クライアントコンピュータへ標準スケジュールを提供するスケジュール登録補助システムを含んでいることを特徴とする請求項１に記載のＷＥＢ動画カルチャースクールシステム。
【請求項３】
動画配信システムは、動画に対応した音声を、クライアントコンピュータが選択した言語に自動的に翻訳して配信する翻訳配信システムを含んでいることを特徴とする請求項１または２の何れか１項に記載のＷＥＢ動画カルチャースクールシステム。
【請求項４】
前記サーバコンピュータに登録する講座内容の動画を管理し、管理する動画を前記サーバコンピュータに登録する動画管理サーバを備えていることを特徴とする請求項１乃至３の何れか１項に記載のＷＥＢ動画カルチャースクールシステム。
【請求項５】
動画管理サーバは、教授する側の講座内容の動画を保存する動画保存システムを備えていることを特徴とする請求項５に記載のＷＥＢ動画カルチャースクールシステム。
【請求項６】
動画管理サーバは、教授する側の講座内容の動画を編集する動画編集システムを備えていることを特徴とする請求項４または５の何れか１項に記載のＷＥＢ動画カルチャースクールシステム。
【請求項７】
講座内容の動画のサンプルを配信可能なサンプル配信システムを備えていることを特徴とする請求項１乃至６の何れか１項に記載のＷＥＢ動画カルチャースクールシステム。
【請求項８】
講座内容の動画のライブ動画を配信可能なライブ配信システムを備えていることを特徴とする請求項１乃至７の何れか１項に記載のＷＥＢ動画カルチャースクールシステム。
【請求項９】
配信される動画は、クライアントコンピュータ側で保存が禁止されていることを特徴とする請求項１乃至８の何れか１項に記載のＷＥＢ動画カルチャースクールシステム。
【請求項１０】
ストリーミング配信技術を用いて、配信される動画は、クライアントコンピュータ側で保存が禁止されていることを特徴とする請求項９に記載のＷＥＢ動画カルチャースクールシステム。
【請求項１１】
サーバコンピュータには、
クライアントコンピュータが、ＷＥＢブラウザを用いてサーバコンピュータに接続したとき、クライアントコンピュータのＷＥＢブラウザによって、サーバコンピュータの認証システムと、動画配信システムと、スケジュール管理システムと、システム利用料金管理システムとを操作し得るサービスシステムを備えていることを特徴とする請求項１乃至１０の何れか１項に記載のＷＥＢ動画カルチャースクールシステム。
【請求項１２】
サービスシステムは、
クライアントコンピュータのＷＥＢブラウザによって、スケジュール登録補助システムも操作し得ることを特徴とする請求項１１に記載のＷＥＢ動画カルチャースクールシステム。
【発明の詳細な説明】
【技術分野】
【０００１】
本発明は、カルチャースクールなどで受講可能な種々の文化講座や、技能、語学など講座をインターネットを利用した動画配信システムを利用することによって、各受講者が所望の場所で所望の時間に受講することができるＷＥＢ動画カルチャースクールシステムに関するものである。
【背景技術】
【０００２】
インターネットを利用した動画配信システムを利用した各種教授システムとしては、ブロードバンド双方向通信システムで個別的教育学習を可能としたシステムや、学校などの教室における授業を支援するシステムなどが提案されている。（例えば、特許文献１、２参照）
【０００３】
【特許文献１】特開平２００２−３４１７３５号公報
【特許文献２】特開平２００２−７２８５０号公報
【発明の開示】
【発明が解決しようとする課題】
【０００４】
しかし、特許文献１、２などに開示されているシステムは、実際に、受講を希望する個人にとっては、が自宅等で簡単に利用可能なシステムではなく、また、講座を提供する側にとっても、種々の技能や語学力を持つ人が簡単に利用して教授することが簡単なシステムはなかった。
【０００５】
そこで、本発明は、受講する側にとっても、教授する側にとっても、利用しやすいインターネットを利用した教授システムを提供することを目的としてなされたものである。
【課題を解決するための手段】
【０００６】
本発明にかかるＷＥＢ動画カルチャースクールシステムにおいては、
受講側のクライアントコンピュータを、インターネットを介して講座内容の動画を配信する講座側のサーバコンピュータに接続して、サーバコンピュータから所望の講座内容の動画の配信を受けてクライアントコンピュータに出力させて受講するように構成されたＷＥＢ動画カルチャースクールであって、
前記サーバコンピュータには、
クライアントコンピュータから送信された認証情報の可否を判断する認証システムと、
認証されたクライアントコンピュータからの要求に応じて、所定の講座内容の動画を配信する動画配信システムと、
クライアントコンピュータから送信されたスケジュール登録情報を記憶し、登録されたスケジュールに応じて、個々のスケジュールがスタートする所定時間前に所定のアラートメッセージを、登録されたメールアドレスへ通知するスケジュール管理システムと、
クライアントコンピュータへ配信した講座内容の動画に応じてクライアントコンピュータに設定されたシステム利用料金情報を更新するシステム利用料金管理システムと
が備えられている。
請求項２の発明では、
スケジュール管理システムは、クライアントコンピュータへ標準スケジュールを提供するスケジュール登録補助システムを含んでいる。
請求項３の発明では、
動画配信システムは、動画に対応した音声を、クライアントコンピュータが選択した言語に自動的に翻訳して配信する翻訳配信システムを含んでいる。
請求項４の発明では、
前記サーバコンピュータに登録する講座内容の動画を管理し、管理する動画を前記サーバコンピュータに登録する動画管理サーバを備えている。
請求項５の発明では、
動画管理サーバは、教授する側の講座内容の動画を保存する動画保存システムを備えている。
請求項６の発明では、
動画管理サーバは、教授する側の講座内容の動画を編集する動画編集システムを備えている。
請求項７の発明では、
講座内容の動画のサンプルを配信可能なサンプル配信システムを備えている。
請求項８の発明では、
講座内容の動画のライブ動画を配信可能なライブ配信システムを備えている。
請求項９の発明では、
配信される動画は、クライアントコンピュータ側で保存が禁止されている。
請求項１０の発明では、ストリーミング配信技術を用いて、配信される動画は、クライアントコンピュータ側で保存が禁止されている。
請求項１１の発明では、
サーバコンピュータには、
クライアントコンピュータが、ＷＥＢブラウザを用いてサーバコンピュータに接続したとき、クライアントコンピュータのＷＥＢブラウザによって、サーバコンピュータの認証システムと、動画配信システムと、スケジュール管理システムと、システム利用料金管理システムとを操作し得るサービスシステムを備えている。
請求項１２の発明では、
サービスシステムは、
クライアントコンピュータのＷＥＢブラウザによって、スケジュール登録補助システムも操作し得るように構成されている。
【発明の効果】
【０００７】
本発明によれば、
クライアントコンピュータから送信された認証情報の可否を判断するので、有効な認証情報を持つクライアントコンピュータのみが接続してサービスを受けることができる。
そして、認証されたクライアントコンピュータからの要求に応じて、所定の講座内容の動画を配信する。
また、クライアントコンピュータから送信されたスケジュール登録情報を記憶し、登録されたスケジュールに応じて、個々のスケジュールがスタートする所定時間前に所定のアラートメッセージを、登録されたメールアドレスへ通知するスケジュール管理システムを備えているので、受講を忘れることを防ぐことができ、スケジュール管理が効果的に行える。
さらに、システム利用料金管理システムを備えているので、受講者側も、教授側も費用の管理が確実に行える。
【発明を実施するための最良の形態】
【０００８】
以下に、本発明にかかるＷＥＢ動画カルチャースクールシステムを、その実施の形態を示した図面に基づいて詳細に説明する。
【０００９】
本発明に係るＷＥＢ動画カルチャースクールシステムＷのシステム構成を示した図１において、
Ｃ１，Ｃ２，・・・・は受講側のクライアントコンピュータ、Ｎはインターネット、Ｓ１は講座内容の動画を配信する講座側のサーバコンピュータ、Ｓ２は前記サーバコンピュータに登録する講座内容の動画を管理し前記サーバコンピュータに登録する動画管理サーバ
である。
各クライアントコンピュータＣ１，Ｃ２，・・・・は、インターネットＮを介してサーバコンピュータＳ１に接続し、サーバコンピュータＳ１から所望の講座内容の動画の配信を受けてクライアントコンピュータの画面とスピーカから出力させて受講するように構成されている。
【００１０】
図２において、
サーバコンピュータＳ１には、多数の講座内容の動画Ａ１，Ａ２，・・・が、クライアントコンピュータからの要求に応じて配信可能な状態で、ハードディスク等の記憶手段Ｍに記憶・登録されている。
サーバコンピュータＳ１は、
クライアントコンピュータから送信された認証情報の可否を判断する認証システム１０と、認証されたクライアントコンピュータからの要求に応じて、所定の講座内容の動画を配信する動画配信システム１１と、クライアントコンピュータから送信されたスケジュール登録情報をハードディスク等の記憶手段に記憶し、登録されたスケジュールに応じて、個々のスケジュールがスタートする所定時間前に所定のアラートメッセージを、登録されたメールアドレスへ通知するスケジュール管理システム１２と、クライアントコンピュータへ配信した講座内容の動画に応じて、クライアントコンピュータごとにハードディスク等の記憶手段に記憶されたシステム利用料金情報を更新するシステム利用料金管理システム１３とを備えている。
【００１１】
前記スケジュール管理システム１２は、クライアントコンピュータからの要求に応じて、予め作成され、ハードディスク等の記憶手段に記憶された所定の標準スケジュールを、前記クライアントコンピュータに送信して提供するスケジュール登録補助システム１２１を含んでいる。
【００１２】
前記動画配信システム１１には、動画に対応した音声を、予め複数の言語に翻訳した音声が、ハードディスク等の記憶手段に記憶されており、クライアントコンピュータが選択した言語の音声を、前記動画に対応させて配信する翻訳配信システム１１１を含んでいる。
前記サーバコンピュータＳ１は、講座内容の動画のサンプルが記憶されたハードディスク等の記憶手段を含み、要求されたサンプル動画を配信可能なサンプル配信システム１４を備えている。
前記サーバコンピュータＳ１は、講座内容の動画のライブ動画をリアルタイムに配信可能なライブ配信システム１５を備えている。
前記サーバコンピュータＳ１から配信される動画は、ストリーミング配信技術を用いることによって、クライアントコンピュータ側で保存が禁止された形態では印される。
【００１３】
図３において、
動画管理サーバＳ２は、ハードディスク等の記憶手段上で、教授する側の講座内容の動画を編集する動画編集システム２０を備え、この動画編集システム２０で編集された動画、もしくは別途編集・作成された動画を保存する動画保存システム２１を備えている。
【００１４】
そして、サーバコンピュータＳ１は、
クライアントコンピュータが、ＷＥＢブラウザを用いてサーバコンピュータＳ１に接続したとき、クライアントコンピュータのＷＥＢブラウザから送信される操作信号に従って、サーバコンピュータＳ１の認証システム１０と、動画配信システム１１と、翻訳配信システム１１１と、スケジュール管理システム１２と、スケジュール登録補助システム１２１と、システム利用料金管理システムとを操作し得るサービスシステムＳ１１を備えている。
【００１５】
以上の構成のＷＥＢ動画カルチャースクールシステムによれば、
受講者は、まずクライアントコンピュータのＷＥＢブラウザを使用して、インターネットＮを介してサーバコンピュータＳ１に接続する。
サーバコンピュータＳ１のサービスシステムＳ１１は、サーバコンピュータＳ１の認証システム１０を作動させて、クライアントコンピュータのＷＥＢブラウザに認証画面を表示させ、認証情報の送信を要求する。受講者がクライアントコンピュータのＷＥＢブラウザを操作して所定の認証情報を送信すると、サーバコンピュータＳ１の認証システム１０は、前記送信された認証情報の可否を判断して、有効な認証情報であった場合には、サービスシステムＳ１１に接続許可データを出力する。
サービスシステムＳ１１は、前記接続許可データが入力されると、
を作動させて、動画選択メニュー画面を表示させる。
受講者は、クライアントコンピュータのＷＥＢブラウザを操作して、所望の講座を選択する。動画配信システム１１は選択された講座の動画を前記クライアントコンピュータに送信して、クライアントコンピュータのＷＥＢブラウザを介して画面表示するとともに、対応する音声をスピーカから音声出力する。
【００１６】
受講者が、クライアントコンピュータのＷＥＢブラウザを操作して、サーバコンピュータＳ１のスケジュール管理システム１２を作動させると、スケジュール登録補助システム１２１は予め設定されている標準スケジュールを表示する。この標準スケジュールを編集して独自のスケジュールを作成することができる。
標準スケジュールを利用せずに、直接個別のスケジュールを作成してもよい。
このようにして作成して確定したスケジュールを、スケジュール管理システム１２は記憶手段に記憶させる。
スケジュール管理システム１２は、個々のスケジュールの１時間前と１０分前に自動的に予め登録されたメールアドレスに対して前記スケジュールが近いことを知らせるアラートメールを自動的に作成して送信する。その時間内にクリックすると動画が再生される。
【００１７】
また、受講者が、クライアントコンピュータのＷＥＢブラウザを操作して、サーバコンピュータＳ１のシステム利用料金管理システム１３を作動させると、受講者が既に利用した利用料金、今後使用可能な利用料金などを確認することができる。また、クレジットカード情報や電子マネー情報などを入力したり、インターネットバンキングなどの機能を利用して、今後使用可能な利用料金を積み増しすることもできる。
【実施例１】
【００１８】
以上のＷＥＢ動画カルチャースクールシステムは、パソコンだけでなく、携帯電話もクライアントコンピュータとして使用することができる。
インターネットを介した配信システムであるため、全国もしくは全世界のユーザーが受講対象者となり、受講内容の動画を有料で配信するだけでなく、ＤＶＤ等の可搬メディアに書き込んで販売することもできる。
このようなインターネットを介した配信システムであるため、講座ごとの毎回の人件費、教室の家賃等の費用を削減出来る。
受講者は、低料金で全国から登録された多数の講座から所望の講座を選択して、自分の自由な時間に受講出来る。
このように低料金にすることで、複数の講座を受講するユーザーを増やすこともできる。
【００１９】
また、期限付きの試聴ＩＤとパスワードを発行することもできる。
また、当該ＷＥＢ動画カルチャースクールシステムを運営する運営者は、各講座を登録した教授側（サプライヤーという。）からは、講座登録料と、受講者の数に応じたシステム利用料を徴収する。
受講者は、当該システムを介して、サプライヤーに利用料を支払う。
したがって、サプライヤーはユーザー数に応じて収入が拡大する。
また、サプライヤーは受講者に新講座等の情報をＥメールで告知することができる。
受講者は、サプライヤーに質問ができる。また、講座により、教科書、問題集、添削サービス等を別途提供することができる。
また、受講者に部材販売や、資料販売を行うこともできる。
【００２０】
サプライヤーへのサポート提供
運営者は、サプライヤーの負担を軽減するため以下のサポートを提供することができる。
・撮影マニュアル
・ＢＧＭ著作権確認、オリジナルＢＧＭを用意
・ビデオ撮影機材レンタル、販売、委託撮影（外注先活用）
・ＤＶＤ製作
・関連製品卸売
【００２１】
サーバコンピュータＳ１への動画の登録手順を説明する登録マニュアルが用意されており、各サプライヤーがビデオ撮影した動画を、運営者において承認したものを、前記動画管理サーバＳ２に一旦保存したあと、動画管理サーバＳ２からサーバコンピュータＳ１の動画配信システム１１に登録する。
【００２２】
トップページから、サプライヤー用のトップページと、受講者用のトップページへリンクされている。
サプライヤー用のトップページでは、館長、先生、インストラクター等のプロフィールの登録．修正が可能であり、各種キャンペーンの告知も可能である。
【００２３】
サブシステムとしては、以下のものを含むことができる。
・ユーザー同士の掲示板、コミュニティー
・サプライヤーサイトでの関連商品販売システム
・サプライヤー評価、コメント表示
・受講回数表示
【００２４】
種々の言語に翻訳して配信することができるので、多国語翻訳サイトによる全世界情報発信が可能である。また、海外のサプライヤーの受け入れも可能である。
また、各自治体等の団体を団体ユーザーとして販売し、地域コミュニティー、活性化に寄与することができる。
【００２５】
講座のカテゴリーとしては、以下のものが対応可能である。
○スポーツ
・種々の格闘技
・種々の野教室
・水泳・フィギアスケート
○フィットネス・ダイエット
○書道
○華道
○語学：英語、中国語、韓国語、フランス語、イタリア語、ドイツ語、スペイン語、日本語（対中国／韓国／欧米）
○科学
○社会学
○赤ちゃん  １歳教育２歳教育３歳教育・・・・・
○社会人教育
○料理※専門店又は専門料理人
・日本料理、寿司、天ぷら、煮物、揚げ物、地方料理、家庭料理、お好み焼き
・中国料理・フランス料理・イタリア料理・製菓、製パン、うどん、そば・コーヒー・中国茶
・陶芸
○簿記  ○教員免許  ○大学：各大学通信教育部  ○社会福祉士  ○ネイル  ○カウンセラー  ○医療事務
○ボールペン字  ○行政書士  ○ファイナンシャルプランナー  ○宅建取引主任者  ○社会保険労務士
○カラーコーディネート  ○マイクロスフとオフィススペシャリスト  ○保育士
○予備校
各種の資格講座、実用講座、趣味講座等
◇法律・財務・経理  ◇ペン字・書道  ◇能力アップ  ◇生活・教養  ◇手芸・クラフト  ◇音楽
◇外国語  ◇実用書籍  ◇気象  ◇写真  ◇料理  ◇文筆  ◇福祉・医療・衛生  ◇デザイン・マスコミ
◇土木・建築・設備  ◇絵画  ◇囲碁・将棋  ◇心理学・表現  ◇パソコン  ◇旅行・流通  ◇ビジネス・起業
◇クレ−ム対応研修
◇人に聞けない講座
◇手品に関する講座
◆化粧、ヘアースタイル等に関する講座
【図面の簡単な説明】
【００２６】
【図１】本発明にかかるＷＥＢ動画カルチャースクールシステムの実施の形態のシステム構成図である。
【図２】前記ＷＥＢ動画カルチャースクールシステムのサーバコンピュータの構成図である。
【図３】前記ＷＥＢ動画カルチャースクールシステムの動画理サーバの構成図である。
【符号の説明】
【００２７】
Ｃ１，Ｃ２，・・・・クライアントコンピュータ
Ｎ  インターネット
Ｓ１  サーバコンピュータ
１０  認証システム
１１  動画配信システム
１１１  翻訳配信システム
１２  スケジュール管理システム
１２１  スケジュール登録補助システム
１３  システム利用料金管理システム
１４  サンプル配信システム
１５  ライブ配信システム
Ｓ２  動画管理サーバ
２０  動画編集システム
２１  動画保存システム
【図１】
2009302930.tif 000003
【図２】
2009302930.tif 000004
【図３】
2009302930.tif 000005